(57)【特許請求の範囲】
【請求項１】
少なくとも１つの操作部が設けられた操作装置と、入力機器に接続されている１以上の送信装置と、スピーカに接続されている１以上の受信装置とにネットワークを介して接続され、１又は複数の送信装置から送信された放送データを１又は複数の受信装置に受信させる多元放送を実現するための放送制御装置であって、
送信元となる１つの送信装置を前記ネットワーク上で一意に識別する送信装置識別子と、送信先となる１以上の受信装置のそれぞれを前記ネットワーク上で一意に識別する受信装置識別子と、の組み合わせである送信系統を定義し、かつ前記送信系統を識別する送信系統識別子を含む送信系統情報を記憶する送信系統記憶手段と、
前記操作装置を前記ネットワーク上で一意に識別する操作装置識別子と、前記操作部を各操作装置上で識別する操作部識別子と、前記送信系統識別子と、を対応付けて記憶する送信系統選択テーブル記憶手段と、
前記ネットワークを介して接続されている操作装置から、操作装置識別子と、操作部識別子と、を含む操作通知を受信する第１受信手段と、
各送信系統のオンオフ状態を管理し、前記操作通知に含まれる操作装置識別子及び操作部識別子に対応する送信系統識別子により識別される送信系統の状態をオンにする系統選択手段と、
前記操作通知の受信後、前記ネットワークを介して接続されている送信装置から、送信の開始を示す放送イベント発生通知を、前記送信装置識別子と共に受信する第２受信手段と、
前記送信系統情報のうち前記送信装置識別子を含み、かつオン状態の送信系統の送信系統情報に含まれる受信装置識別子を決定する決定手段と、
前記ネットワークを介して、決定した前記受信装置識別子を前記送信装置に通知する通知手段と、
を備えることを特徴とする放送制御装置。
【請求項２】
前記ネットワークには複数の送信装置が接続されており、
前記送信系統情報は、各送信系統の優先順位を含み、
前記第２受信手段が複数の送信装置から受信した送信装置識別子それぞれと対応付けられている各送信系統情報に同じ受信装置識別子が含まれる場合、前記決定手段は、優先順位の高い送信系統の送信装置に当該受信装置の受信装置識別子を通知する決定を行うことを特徴とする、請求項１に記載の放送制御装置。
【請求項３】
前記ネットワークには複数の送信装置が接続されており、
前記送信系統情報は、各送信系統の優先順位を含み、
前記第２受信手段が複数の送信装置から受信した送信装置識別子それぞれと対応付けられている各送信系統情報に同じ受信装置識別子が含まれる場合、かつ優先順位の低い送信系統の送信装置が先に当該受信装置に対して送信している場合、前記通知手段は、その送信装置に対して当該受信装置への送信を停止する旨を通知し、かつ優先順位の高い送信系統の送信装置に前記受信装置識別子を通知することを特徴とする、請求項１に記載の放送制御装置。
【請求項４】
前記送信系統記憶手段は、更に、少なくとも１つの送信系統情報を含む送信系統情報グループと、前記送信系統情報グループに属する送信系統情報が前記決定手段によって使用される条件である使用条件との組み合わせを複数記憶し、
前記放送制御装置は、更に、
前記使用条件の変化を検知する検知手段と、
前記検知した使用条件の変化に基づいて、前記決定手段によって使用される送信系統情報グループを切り換える切換手段と、
を備えることを特徴とする、請求項１に記載の放送制御装置。
【請求項５】
少なくとも１つの操作部が設けられた操作装置と、入力機器に接続されている１以上の送信装置と、スピーカに接続されている１以上の受信装置と、放送制御装置とがネットワークにより接続されて構成されるネットワーク構内放送システムであって、
前記放送制御装置は、
１又は複数の送信装置から送信された放送データを１又は複数の受信装置に受信させる多元放送を実現し、
送信元となる１つの送信装置を前記ネットワーク上で一意に識別する送信装置識別子と、送信先となる１以上の受信装置のそれぞれを前記ネットワーク上で一意に識別する受信装置識別子と、の組み合わせである送信系統を定義し、かつ前記送信系統を識別する送信系統識別子を含む送信系統情報を記憶する送信系統記憶手段と、
前記操作装置を前記ネットワーク上で一意に識別する操作装置識別子と、前記操作部を各操作装置上で識別する操作部識別子と、前記送信系統識別子と、を対応付けて記憶する送信系統選択テーブル記憶手段と、
前記ネットワークを介して接続されている操作装置から、操作装置識別子と、操作部識別子と、を含む操作通知を受信する第１受信手段と、
各送信系統のオンオフ状態を管理し、前記操作通知に含まれる操作装置識別子及び操作部識別子に対応する送信系統識別子により識別される送信系統の状態をオンにする系統選択手段と、
前記操作通知の受信後、前記ネットワークを介して接続されている送信装置から、送信の開始を示す放送イベント発生通知を、前記送信装置識別子と共に受信する第２受信手段と、
前記送信系統情報のうち前記送信装置識別子を含み、かつオン状態の送信系統の送信系統情報に含まれる受信装置識別子を決定する決定手段と、
前記ネットワークを介して、決定した前記受信装置識別子を前記送信装置に通知する通知手段と、
を備えることを特徴とするネットワーク構内放送システム。
【請求項６】
少なくとも１つの操作部が設けられた操作装置と、入力機器に接続されている１以上の送信装置と、スピーカに接続されている１以上の受信装置とにネットワークを介して接続され、１又は複数の送信装置から送信された放送データを１又は複数の受信装置に受信させる多元放送を実現するために、ＣＰＵ及び記憶手段を備えたコンピュータを、下記手段として機能させる放送制御プログラムであって、
送信元となる１つの送信装置を前記ネットワーク上で一意に識別する送信装置識別子と、送信先となる１以上の受信装置のそれぞれを前記ネットワーク上で一意に識別する受信装置識別子と、の組み合わせである送信系統を定義し、かつ前記送信系統を識別する送信系統識別子を含む送信系統情報を記憶する送信系統記憶手段、
前記操作装置を前記ネットワーク上で一意に識別する操作装置識別子と、前記操作部を各操作装置上で識別する操作部識別子と、前記送信系統識別子と、を対応付けて記憶する送信系統選択テーブル記憶手段、
前記ネットワークを介して接続されている操作装置から、操作装置識別子と、操作部識別子と、を含む操作通知を受信する第１受信手段、
各送信系統のオンオフ状態を管理し、前記操作通知に含まれる操作装置識別子及び操作部識別子に対応する送信系統識別子により識別される送信系統の状態をオンにする系統選択手段、
前記操作通知の受信後、前記ネットワークを介して接続されている送信装置から、送信の開始を示す放送イベント発生通知を、前記送信装置識別子と共に受信する第２受信手段、
前記送信系統情報のうち前記送信装置識別子を含み、かつオン状態の送信系統の送信系統情報に含まれる受信装置識別子を決定する決定手段、及び
前記ネットワークを介して、決定した前記受信装置識別子を前記送信装置に通知する通知手段、
として前記コンピュータを機能させることを特徴とする放送制御プログラム。
【発明の詳細な説明】
【０００１】
【発明の属する技術分野】
本発明は、ネットワークに接続された受信装置、送信装置を用いたディジタル構内放送の放送制御方法、放送制御装置及び放送制御プログラムに関する。
【０００２】
【従来の技術】
複数の音源を複数のスピーカのいずれかに接続して構内放送を行う（以下、多系統構内放送と言う）場合、例えば特開平１０―３０３８３６号公報に開示されるようにマトリックス回路を用いて音源とスピーカとの接続を制御する方法が一般的である。
【０００３】
図１６（ａ）は、従来のマトリックス回路を用いたネットワーク構内放送システムの全体構成図である。このシステムは、ＣＤプレーヤやマイクロフォンなどの入力機器１ａ〜ｃと、増幅器２ａ〜ｃと、アナログ／デジタル（Ａ／Ｄ）コンバータ３ａ〜ｃと、放送制御装置４と、デジタル／アナログ（Ｄ／Ａ）コンバータ５ａ〜ｃと、増幅器６ａ〜ｃと、スピーカ７ａ〜ｃとから構成される。放送制御装置４は、マトリックス回路４０と、ＣＰＵ４１と、メモリ４２とを有している。マトリックス回路４０は、入力ライン４６ａ〜ｃと、出力ライン４７ａ〜ｃと、バスライン４８ａ〜ｃとを有している。入力ライン４６ａ〜ｃにはＡ／Ｄコンバータ３ａ〜ｃ、出力ライン４７ａ〜ｃにはＤ／Ａコンバータ５ａ〜ｃが接続される。バスライン４８ａ〜ｃは、入力ライン４６ａ〜ｃと出力ライン４７ａ〜ｃとの間に設けられる。入力ライン４６ａ〜ｃ及び出力ライン４７ａ〜ｃとバスライン４８ａ〜ｃとの交点には図示しないスイッチが設けられている。ＣＰＵ４１はこのスイッチの切り換えを制御する。メモリ４２には、入力機器１ａ〜ｃをいずれのスピーカ７ａ〜ｃに接続するかが、入力機器１ａ〜ｃごとにパターンとして記憶されている。そして、入力機器１ａ〜ｃが作動を開始するなどの放送開始イベントが発生すると、ＣＰＵ４１はこの作動している入力機器１ａ〜ｃに対応するパターンをメモリ４２から読み出し、そのパターンが指定しているスピーカ７ａ〜ｃに作動している入力機器１ａ〜ｃを接続するようにスイッチを制御する。これにより、入力機器１ａ〜ｃからの音声信号がスピーカ７ａ〜ｃにより拡声される。
【０００４】
一方、近年、入力機器から入力された音声信号を音声パケットに組み立てて送信するネットワーク構内放送システムが提案されている。図１６（ｂ）は、ネットワーク構内放送システムの全体構成図である。このネットワーク構内放送システムは、入力機器１と、増幅器２と、送信装置３と、ＬＡＮやイントラネットなどのネットワーク４と、受信装置５と、増幅器６と、スピーカ７とを含んで構成される。送信装置３は、入力機器１から入力された音声信号を音声パケットに組み立て、受信装置５へ送信する。受信装置５は、前記音声パケットを受信し、これを分解してディジタル音声データに再構成する。ディジタル音声データはアナログ音声信号に変換された後、増幅器６により増幅され、スピーカ７から拡声される。
【０００５】
【発明が解決しようとする課題】
前記ネットワーク構内放送システムでは、送信装置３から送信される各音声パケットには、パケットの宛先となる受信装置５のアドレスが記述されている。各受信装置５は、自分宛のパケットのみ受信する。従って、前記特開平１０−３０３８３６号公報に記載の放送制御装置４は、前記ネットワーク構内放送システムには不要であり、配線の単純化やシステム構築の簡略化を図ることができる。しかし、前記ネットワーク構内放送システムにおいて、ある入力機器１に入力された音声信号とその音声信号の出力先のスピーカ７との組み合わせを自由に選択して放送を行ういわゆる多元放送を実現するための手段は未だ提供されていない。
【０００６】
本発明は、ネットワーク構内放送システムにおいて、多元放送を行う技術を提供することを目的とする。
【０００７】
【課題を解決するための手段】
前記課題を解決するために、本願第１発明は、少なくとも１つの操作部が設けられた操作装置と、入力機器に接続されている１以上の送信装置と、スピーカに接続されている１以上の受信装置とにネットワークを介して接続され、１又は複数の送信装置から送信された放送データを１又は複数の受信装置に受信させる多元放送を実現するための放送制御装置を提供する。この装置は、下記の手段を備えている。
・送信元となる１つの送信装置を前記ネットワーク上で一意に識別する送信装置識別子と、送信先となる１以上の受信装置のそれぞれを前記ネットワーク上で一意に識別する受信装置識別子と、の組み合わせである送信系統を定義し、かつ前記送信系統を識別する送信系統識別子を含む送信系統情報を記憶する送信系統記憶手段、
・前記操作装置を前記ネットワーク上で一意に識別する操作装置識別子と、前記操作部を各操作装置上で識別する操作部識別子と、前記送信系統識別子と、を対応付けて記憶する送信系統選択テーブル記憶手段、
・前記ネットワークを介して接続されている操作装置から、操作装置識別子と、操作部識別子と、を含む操作通知を受信する第１受信手段、
・各送信系統のオンオフ状態を管理し、前記操作通知に含まれる操作装置識別子及び操作部識別子に対応する送信系統識別子により識別される送信系統の状態をオンにする系統選択手段、
・前記操作通知の受信後、前記ネットワークを介して接続されている送信装置から、送信の開始を示す放送イベント発生通知を、前記送信装置識別子と共に受信する第２受信手段、
・前記送信系統情報のうち前記送信装置識別子を含み、かつオン状態の送信系統の送信系統情報に含まれる受信装置識別子を決定する決定手段、
・前記ネットワークを介して、決定した前記受信装置識別子を前記送信装置に通知する通知手段。
【０００８】
送信元の送信装置識別子と送信先の受信装置識別子との組み合わせである送信系統を定義する送信系統情報が記憶される。この送信系統情報は、例えばデータベースに記憶される。そして、送信装置を送信元とする送信系統が送信系統情報に基づいて選択され、この送信系統に含まれる受信装置識別子が前記送信装置へ通知される。
【０００９】
送信装置は、ＣＤプレーヤ、マイクロフォン、ラジオ、有線放送受信機など音声信号を送信装置に入力する入力機器と接続されており、入力された音声信号から音声パケットを組み立てる。送信装置は、音声入力の開始を検知すると、放送イベント発生通知をネットワークを介してコンピュータに送信する。音声入力の開始は、例えばＣＤプレーヤが音声の再生を開始したことや、マイクロフォンに設けられているトークスイッチ、放送用操作卓に設けられているラジオ放送スイッチ、有線放送スイッチなどの音源選択スイッチが押されたことを示す制御信号を検出することにより検知できる。送信装置から送信された放送イベント発生通知が受信されると、送信装置の音声パケットの送信先となる受信装置の受信装置識別子が決定される。受信装置識別子とは、例えばネットワークアドレスである。この受信装置識別子が、送信装置に通知される。
【００１０】
送信装置は、通知された受信装置識別子で特定される受信装置宛の音声パケットを送出する。受信装置は、自分宛の音声パケットを分解し、音声をスピーカに出力する。
このように、送信装置は、通知された受信装置識別子で特定される受信装置に音声パケットを送信することができ、ネットワーク構内放送システムにおける多元放送が可能となる。
【００１１】
本願第２発明は、前記第１発明において、
・前記ネットワークには複数の送信装置が接続されており、
・前記送信系統情報は、各送信系統の優先順位を含み、
・前記第２受信手段が複数の送信装置から受信した送信装置識別子それぞれと対応付けられている各送信系統情報に同じ受信装置識別子が含まれる場合、前記決定手段は、優先順位の高い送信系統の送信装置に当該受信装置の受信装置識別子を通知する決定を行う、放送制御装置を提供する。
【００１２】
異なる送信系統情報に含まれる受信装置識別情報同士が競合するとき、優先度が高い方の送信系統が優先される。即ち、優先度が高い方の送信系統の送信装置に、競合した受信装置識別子が放送先として通知される。
本願第３発明は、前記第１発明において、
・前記ネットワークには複数の送信装置が接続されており、
・前記送信系統情報は、各送信系統の優先順位を含み、
・前記第２受信手段が複数の送信装置から受信した送信装置識別子それぞれと対応付けられている各送信系統情報に同じ受信装置識別子が含まれる場合、かつ優先順位の低い送信系統の送信装置が先に当該受信装置に対して送信している場合、前記通知手段は、その送信装置に対して当該受信装置への送信を停止する旨を通知し、かつ優先順位の高い送信系統の送信装置に前記受信装置識別子を通知する、放送制御装置を提供する。
【００１３】
重複送信先が存在し、かつ後取り送信が選択された場合、例えば、第１送信装置には重複送信先の受信装置識別子が、第２送信装置には第２送信先の受信装置識別子が通知されるようにする。こうすれば、第１送信装置に通知された重複送信先の受信装置識別子に基づいて、既に行われている音声パケット送信のうち重複送信先への音声パケット送信を停止させることができる。従って、第２送信装置に通知された第２送信先の受信装置識別子に基づいて第２送信装置から第２送信先に音声パケットが送信されても、第１送信装置及び第２送信装置の音声パケット送信が競合することはない。あるいは、重複送信先が存在し、かつ後取り送信が選択された場合、第１送信装置には第１送信先から重複送信先を除いた第１非重複送信先の受信装置識別子が、第２信装置には第２送信先の受信装置識別子が通知されるようにする。こうすれば、第１送信装置から第１非重複送信先に音声パケット送信を行うことができ、また第２送信装置から第２送信先に音声パケット送信を行うことができるため、第１送信装置及び第２送信装置の音声パケット送信が競合することはない。
【００１４】
一方、重複送信先が存在し、かつ先取り送信が選択された場合、例えば第２送信装置には、第２送信先から重複送信先を除いた第２非重複送信先の受信装置識別子が通知されるようにする。こうすれば、第１送信装置から第１送信先への音声パケット送信を継続して行い、かつ第２送信装置から第２非重複送信先への音声パケット送信を行うことが可能である。
【００１５】
さらに、重複送信先が存在しない場合、例えば先取りまたは後取りの選択に関わらず、第２送信先の受信装置識別子の全てが第２送信装置へ通知されるようにする。こうすれば、第１送信装置から第１送信先への音声パケット送信をそのまま維持しつつ、第２送信装置から第２送信先への音声パケット送信を行うことが可能である。
【００１６】
本願第４発明は、前記第１発明において、前記送信系統記憶手段が、更に、少なくとも１つの送信系統情報を含む送信系統情報グループと、前記送信系統情報グループに属する送信系統情報が前記決定手段によって使用される条件である使用条件との組み合わせを複数記憶している放送制御装置を提供する。この前記放送制御装置は、更に、下記手段を備えている。
・前記使用条件の変化を検知する検知手段、
・前記検知した使用条件の変化に基づいて、前記決定手段によって使用される送信系統情報グループを切り換える切換手段。
【００１７】
使用条件の変化とは、例えばある時刻や曜日になったことや、火災報知器のボタンが押下されたことである。送信系統情報グループの使用条件の変化を検知すると、変化後の使用条件に対応する送信系統情報グループが使用される。これにより、例えば火災発生時は防災センターに設置されたマイクロフォンだけから全館放送が可能になるようにしたり、夜間には屋内に設置されたスピーカにのみ放送が行われるようにするなど、状況に応じた適切な送信系統を使用できる。
【００１８】
本願第５発明は、少なくとも１つの操作部が設けられた操作装置と、入力機器に接続されている１以上の送信装置と、スピーカに接続されている１以上の受信装置と、放送制御装置とがネットワークにより接続されて構成されるネットワーク構内放送システムを提供する。前記放送制御装置は、１又は複数の送信装置から送信された放送データを１又は複数の受信装置に受信させる多元放送を実現し、下記手段を備えている。
・送信元となる１つの送信装置を前記ネットワーク上で一意に識別する送信装置識別子と、送信先となる１以上の受信装置のそれぞれを前記ネットワーク上で一意に識別する受信装置識別子と、の組み合わせである送信系統を定義し、かつ前記送信系統を識別する送信系統識別子を含む送信系統情報を記憶する送信系統記憶手段、
・前記操作装置を前記ネットワーク上で一意に識別する操作装置識別子と、前記操作部を各操作装置上で識別する操作部識別子と、前記送信系統識別子と、を対応付けて記憶する送信系統選択テーブル記憶手段、
・前記ネットワークを介して接続されている操作装置から、操作装置識別子と、操作部識別子と、を含む操作通知を受信する第１受信手段、
・各送信系統のオンオフ状態を管理し、前記操作通知に含まれる操作装置識別子及び操作部識別子に対応する送信系統識別子により識別される送信系統の状態をオンにする系統選択手段、
・前記操作通知の受信後、前記ネットワークを介して接続されている送信装置から、送信の開始を示す放送イベント発生通知を、前記送信装置識別子と共に受信する第２受信手段、
・前記送信系統情報のうち前記送信装置識別子を含み、かつオン状態の送信系統の送信系統情報に含まれる受信装置識別子を決定する決定手段、
・前記ネットワークを介して、決定した前記受信装置識別子を前記送信装置に通知する通知手段。
【００１９】
本願第６発明は、少なくとも１つの操作部が設けられた操作装置と、入力機器に接続されている１以上の送信装置と、スピーカに接続されている１以上の受信装置とにネットワークを介して接続され、１又は複数の送信装置から送信された放送データを１又は複数の受信装置に受信させる多元放送を実現するために、ＣＰＵ及び記憶手段を備えたコンピュータを、下記手段として機能させる放送制御プログラムを提供する。このプログラムは、下記手段として前記コンピュータを機能させる。
・送信元となる１つの送信装置を前記ネットワーク上で一意に識別する送信装置識別子と、送信先となる１以上の受信装置のそれぞれを前記ネットワーク上で一意に識別する受信装置識別子と、の組み合わせである送信系統を定義し、かつ前記送信系統を識別する送信系統識別子を含む送信系統情報を記憶する送信系統記憶手段、
・前記操作装置を前記ネットワーク上で一意に識別する操作装置識別子と、前記操作部を各操作装置上で識別する操作部識別子と、前記送信系統識別子と、を対応付けて記憶する送信系統選択テーブル記憶手段、
・前記ネットワークを介して接続されている操作装置から、操作装置識別子と、操作部識別子と、を含む操作通知を受信する第１受信手段、
・各送信系統のオンオフ状態を管理し、前記操作通知に含まれる操作装置識別子及び操作部識別子に対応する送信系統識別子により識別される送信系統の状態をオンにする系統選択手段、
・前記操作通知の受信後、前記ネットワークを介して接続されている送信装置から、送信の開始を示す放送イベント発生通知を、前記送信装置識別子と共に受信する第２受信手段、
・前記送信系統情報のうち前記送信装置識別子を含み、かつオン状態の送信系統の送信系統情報に含まれる受信装置識別子を決定する決定手段、
・前記ネットワークを介して、決定した前記受信装置識別子を前記送信装置に通知する通知手段。
【００２０】
【発明の実施の形態】
＜第１実施形態例＞
（１）全体構成
図１は、第１実施形態例に係るネットワーク構内放送システムの全体構成図である。このネットワーク構内放送システムでは、放送制御装置１と、送信装置２ａ〜ｉと、受信装置３ａ〜ｊと、操作装置４ａ〜ｋとが、ＬＡＮやイントラネットなどのネットワーク１０上に固有のアドレスを有して接続されている。固有のアドレスとは、例えばＩＰアドレスである。
【００２１】
放送制御装置１は、コンピュータを用いて実現できる。放送制御装置１には、火災報知器やガス検知器などのセンサ５がＲＳ−２３２Ｃなど、またはネットワーク１０を介して接続されている。放送制御装置１は、管理ＤＢ１００と、モジュール群１１０と、送受信部１２０と、メモリ１３０とを有している。管理ＤＢ１００及びモジュール群１１０については詳細を後述する。送受信部１２０は、ネットワーク１０と放送制御装置１とのインターフェースである。メモリ１３０は、モジュール群１１０が処理を行うのに必要なデータを一時的に記憶する。
【００２２】
任意の送信装置２ａには、増幅器６ａが一対一に接続されている。増幅器６ａには、マイクロフォンやＣＤプレーヤ等の入力機器７ａが一対一に接続されている。入力機器７ａが動作を開始すると、制御信号が送信装置２ａに送信される。送信装置２ａは、制御信号を受信すると、放送イベント発生通知を放送制御装置１に送信する。この放送イベント発生通知には、送信装置２ａのアドレスを示す情報が含まれている。その後、送信装置２ａは、入力された音声信号を音声パケットに組み立て、受信装置３に送信する。音声パケットの送信先アドレスは、放送制御装置１により通知される。
【００２３】
任意の受信装置３ａには、増幅器８ａが一対一に接続されている。受信装置３ａは、自分宛の音声パケットを受信し、アナログ音声信号に変換して増幅器８ａに出力する。
任意の増幅器８ａには、スピーカ９ａが一対一に接続されている。増幅器８ａは、受信装置３からのアナログ音声信号を増幅しスピーカ９ａに出力する。スピーカ９ａは、このアナログ音声信号を受信して拡声する。
【００２４】
任意の操作装置４ａは、操作通知部４１ａ及び操作部４２ａを有している。操作部４２ａは、１または複数の送信系統と対応しており、ある１つの入力機器７を音源とする放送先を選択するための操作を受け付ける。例えば「教室」、「体育館」、「校庭」などを選択するためのボタン（以下、放送先選択ボタンという）の押下による操作を受け付ける。ここで、送信系統とは、いずれかの送信装置２と少なくとも１の受信装置３との組み合わせをいい、操作部４２ａと送信系統との対応は放送制御装置１に記憶されている。そして、操作通知部４１ａは、前記操作が行われたとき、操作通知を放送制御装置１に送信する。放送制御装置１は、操作通知を受信すると、その送信系統による放送を可能な状態にする。操作通知には、操作装置４ａを一意に識別する情報、例えば操作装置４ａのアドレスと、操作部４２ａを一意に識別する情報、例えばボタンＩＤとが含まれている。尚、１つの操作装置４ａに複数の操作部４２ａを設けても良い。この場合、複数の操作部４２ａを同時に操作して複数の放送先を同時に選択することが可能である。
【００２５】
センサ５は、例えば図示しない公知の煙検出機能を有しており、煙を検出すると放送制御装置１に警報通知を発する。
（２）管理ＤＢ
次に、放送制御装置１の管理ＤＢ１００に蓄積される情報について説明する。管理ＤＢ１００には、入力系統テーブル１００１と、出力系統テーブル１００２と、出力グループテーブル１００３と、送信系統テーブル１００４と、送信系統選択テーブル１００５とが蓄積されている。図２〜４はこれら５種類のテーブルに蓄積されている情報の概念説明図である。
【００２６】
図２（ａ）は、入力系統テーブル１００１に蓄積されている情報の概念説明図である。入力系統テーブル１００１は、送信装置２ａ〜ｉの識別情報を蓄積する。具体的には、入力系統テーブル１００１には、入力ＩＤと、送信装置アドレスとが一対一に対応づけられて蓄積されている。入力ＩＤとは、放送制御装置１が送信装置２ａ〜ｉを一意に識別するための情報である。送信装置アドレスとは、送信装置２ａ〜ｉのネットワーク１０上でのアドレスである。入力装置名、例えばマイクロフォン１などを入力ＩＤ及び送信装置アドレスと対応付けてさらに蓄積しても良い。
【００２７】
図２（ｂ）は、出力系統テーブル１００２に蓄積されている情報の概念説明図である。出力系統テーブル１００２は、受信装置３ａ〜ｊの識別情報を蓄積する。具体的には、出力系統テーブル１００２には、出力ＩＤと、受信装置アドレスとが一対一に対応づけられて蓄積されている。出力ＩＤとは、放送制御装置１が受信装置３ａ〜ｊを一意に識別するための情報である。受信装置アドレスとは、受信装置３ａ〜ｊのネットワーク１０上でのアドレスである。受信装置と対応するスピーカ名、例えば１階スピーカ１などを出力ＩＤ及び受信装置アドレスと対応付けてさらに蓄積しても良い。
【００２８】
図２（ｃ）は、出力グループテーブル１００３に蓄積されている情報の概念説明図である。出力グループテーブル１００３は、複数の受信装置３からなる出力グループを定義している。具体的には、グループテーブル１００３には、グループＩＤと、複数の出力ＩＤとが対応付けられて蓄積されている。グループＩＤとは、出力グループを一意に識別するための情報である。グループＩＤには、そのグループＩＤで特定される出力グループを形成する送信装置２の出力ＩＤが対応している。出力グループ名、例えば「教室」、「校庭」、「体育館」などを、グループＩＤに対応付けてさらに蓄積しても良い。
【００２９】
図３は、送信系統テーブル１００４（送信系統グループ）に蓄積されている情報の概念説明図である。送信系統テーブル１００４は、送信系統を定義する送信系統情報を蓄積している。送信系統テーブル１００４には、送信系統テーブル１００４を一意に識別するためのテーブルＩＤと、送信系統情報とが対応付けられて蓄積されている。送信系統情報には、送信系統ＩＤと、入力ＩＤと、出力ＩＤと、放送優先度と、系統選択フラグとが含まれる。送信系統ＩＤとは、放送制御装置１が送信系統を一意に識別するための情報である。従って、ある送信系統ＩＤを指定すればある送信装置２と、１または複数の受信装置３との組み合わせが一意に定まる。送信系統名、例えば送信系統１を送信系統情報に含めて蓄積しても良い。放送優先度とは、異なる送信系統が同時に使用された結果、それらの出力ＩＤが競合する場合、どちらの送信系統を優先して使用するかを判断するための情報である。本実施形態例では、放送優先度の数字が大きい方の送信系統が優先的に使用される。本実施形態例では、複数の送信系統テーブル１００４が管理ＤＢ１００に蓄積されている。テーブルＩＤが“Ｔ０１”の送信系統テーブルは通常用として、テーブルＩＤが“Ｔ０２”の送信系統テーブルは非常用として蓄積され、いずれかの送信系統テーブルが使用すべきテーブルとして状況に応じて選択される。
【００３０】
系統選択フラグとは、使用中の送信系統を示すために用いられるフラグである。系統選択フラグがオンの場合はその送信系統が選択されていることを示している。尚、操作部４２のいずれにも対応していない送信系統情報の系統選択フラグは、全てオンになっているものとする。
図４は、送信系統選択テーブル１００５に蓄積されている情報の概念説明図である。送信系統選択テーブル１００５は、操作装置４の操作部４２と送信系統とを対応付ける。具体的には、送信系統選択テーブル１００５には、操作装置アドレスと、操作装置４に設けられた操作部４２を識別するボタンＩＤと、送信系統ＩＤとが対応付けられて蓄積されている。ここでは、図４に示すように、ボタンＩＤと送信系統ＩＤとが一対一に対応していても良いし、一つのボタンＩＤと複数の送信系統ＩＤとが対応していても良い。
【００３１】
（３）モジュール群
再び図１を参照し、放送制御装置１のモジュール群１１０の機能について説明する。モジュール群１１０は、登録モジュール１１０１と、系統選択モジュール１１０２と、テーブル切換モジュール１１０３と、通知モジュール１１０４とを含む。
【００３２】
登録モジュール１１０１は、管理ＤＢ１００の各テーブルに蓄積される情報の入力を受け付け、管理ＤＢ１００に登録する。系統選択モジュール１１０２は、操作装置４の操作による送信系統情報の選択を受け付け、送信系統テーブル１００４の系統選択フラグを更新する。
テーブル切換モジュール１１０３は、切換イベント、例えばセンサ５から送信される警報通知を検出し、メモリ１３０に記憶されている管理テーブル１３０１のテーブル切換フラグを更新する。管理テーブル１３０１は、テーブル切換モジュール１１０３により予めメモリ１３０に作成されている。図５は、管理テーブル１３０１の概念説明図である。管理テーブル１３０１には、テーブルＩＤと、テーブル切換フラグとが対応付けられて記憶されている。テーブル切換フラグは、オンであれば、使用中の送信系統テーブルであることを示す。このフラグは、テーブル切換モジュール１１０３によりオン／オフされる。本実施形態例では、テーブルＩＤが“Ｔ０１”のテーブル切換フラグがデフォルトでオンに設定されている。送信系統は、テーブル切換フラグがオンの送信系統テーブルから選択される。通知モジュール１１０４は、放送イベント発生通知を送信した任意の送信装置２ａに、音声パケットの送信先である受信装置３のアドレスを通知する。
【００３３】
［画面例］
図６〜１０は、放送制御装置１に接続されているディスプレイ（図示せず）に表示される画面の例である。放送制御装置１のユーザは、表示された画面に従って放送制御装置１を操作する。
図６は、メニュー画面の一例である。この画面には、「入力系統登録」、「出力系統登録」、「出力グループ登録」、「送信系統登録」及び「送信系統選択登録」の各ボタンが表示されている。「入力系統登録」を押すと図７（ａ）の入力系統登録画面が表示される。「出力系統登録」を押すと図７（ｂ）の出力系統登録画面が表示される。「出力グループ登録」を押すと図８の出力グループ登録画面が表示される。「送信系統登録」を押すと図９の送信系統登録画面が表示される。「送信系統選択登録」を押すと図１０の送信系統選択登録画面が表示される。
【００３４】
図７（ａ）の入力系統登録画面は、入力系統テーブル１００１への情報の登録を受け付ける画面である。この画面は、入力ＩＤと送信装置アドレスとの入力を受け付ける。「登録」ボタンが押されると、テキストボックスに入力された入力ＩＤと送信装置アドレスとが入力系統テーブル１００１に対応付けられて記憶される。「終了」ボタンが押されると図６のメニュー画面に戻る。
【００３５】
図７（ｂ）の出力系統登録画面は、出力系統テーブル１００２への情報の登録を受け付ける画面である。この画面は、出力ＩＤと、受信装置アドレスとをテキストボックスの入力を受け付ける。「登録」ボタンが押されると、テキストボックスに入力された出力ＩＤと受信装置アドレスとが出力系統テーブル１００２に記憶される。「終了」ボタンが押されると図６のメニュー画面に戻る。
【００３６】
図８は、出力グループ登録画面の一例である。この画面は、出力グループテーブル１００３への情報の登録を受け付ける。この画面には、縦横に配列された複数のセルを有する表が表示されている。この表の上端の行の各セルには、グループＩＤが表示される。この行に表示されるグループＩＤは、登録モジュール１００１により一意に付与されるが、ユーザが入力できるようにしても良い。この表の左端の列の各セルには、グループＩＤと出力ＩＤとが表示される。ユーザが、例えばマウスにより所望のセルをクリックすると、そのセルにマークが表示される。これにより、マークの付いたセルを含む列のグループＩＤには、マークの付いたセルを含む行の出力ＩＤまたはグループＩＤが対応することになる。「登録」ボタンが押されると、この表で指定されたグループが図２（ｃ）のグループテーブル１００３に登録される。「終了」ボタンが押されると図６のメニュー画面に戻る。
【００３７】
図９は、送信系統登録画面の一例である。この画面は、送信系統テーブル１００４への送信系統情報の登録を受け付ける。この画面には、縦横に配列された複数のセルを有する表が表示されている。表の上部には送信系統テーブル１００４のテーブルＩＤがドロップダウンリストで表示されており、いずれかのテーブルＩＤの選択を受け付ける。この表の各セルには、上の行から順に、送信系統ＩＤと、入力ＩＤと、放送優先度と、系統選択フラグと、グループＩＤと、出力ＩＤとが表示される。送信系統ＩＤは登録モジュール１１０１により一意に付与される。入力ＩＤには、入力系統テーブル１００１に登録されている入力ＩＤに限り、ユーザが自由に入力できる。放送優先度には、任意の自然数を入力できる。系統選択フラグ以下の各行の各セルは、ユーザが例えばマウスでクリックすることにより自由に情報を入力または変更できる。出力グループの行のセルをクリックすると、その行の出力グループを形成する受信装置３の出力ＩＤがそのセルの属する送信系統情報に自動的に追加される。新たな送信系統を登録したい場合は、右端の列に情報を入力する。「登録」ボタンが押されると、この表で指定された送信系統情報が図３の送信系統テーブル１００４に登録される。「終了」ボタンが押されると図６のメニュー画面に戻る。
【００３８】
図１０は、送信系統選択登録画面の一例である。この画面は、送信系統選択テーブル１００５への情報の登録を受け付ける。この画面では、操作装置アドレスと、ボタンＩＤとを入力可能であり、送信系統テーブルに登録されている１以上の送信系統ＩＤをドロップダウンリストで選択可能である。「登録」ボタンが押されると、入力または選択された情報が送信系統選択テーブル１００５に登録される。「終了」ボタンが押されると図６のメニュー画面に戻る。
【００３９】
尚、上記図７〜１０の各画面における送信系統ＩＤ、入力ＩＤ、出力ＩＤ、グループＩＤの代わりに送信系統名、入力名、出力名、出力グループ名をそれぞれ表示するようにすれば、ユーザの操作がより容易になる。
［処理の流れ］
（１）全体の処理の流れ
図１１は、本発明に係るネットワーク構内放送システム全体で行われる処理の流れを示している。本システムでは、切換イベント検出（＃１）、操作通知（＃２）、放送イベント発生通知（＃３）、出力系統通知（＃４）及び音声パケット送信（＃５）が行われる。以下、これらを具体的に説明する。
【００４０】
放送制御装置１は、切換イベントを検出する（＃１）。例えば、放送制御装置１は、煙を検知したセンサ５からの警報通知を検出する。放送制御装置１は、切換イベントを検出すると後述のテーブル切換処理を行い、いずれかの送信系統テーブルのテーブル切換フラグをオンにする。以下、テーブル切換フラグがオンの送信系統テーブルをカレントテーブルという。
【００４１】
任意の操作装置４ａが有する操作通知部４１ａは、操作部４２ａが操作されると、操作通知を放送制御装置１に発する（＃２）。放送制御装置１は操作通知を受信すると、後述の送信系統選択処理を行い、後述の放送処理で使用する送信系統情報を、カレントテーブルから選択する。
任意の送信装置２ａは、入力機器７ａが動作を開始したことを示す放送イベント発生通知を、放送制御装置１に送信する（＃３）。放送制御装置１は、放送イベント発生通知を受信すると、後述の放送処理により音声パケットの送信先となる受信装置３ａのアドレスを決定し、これを送信装置２ａに通知する（＃４）。送信装置２ａは、通知されたアドレス宛の音声パケットを送信する（＃５）。受信装置３ａは、自分宛の音声パケットを受信し、アナログ音声信号に変換してスピーカに出力する。
【００４２】
（２）放送制御装置が行う処理の流れ
放送制御装置１が行う処理は、テーブル切換処理、送信系統選択処理及び放送処理の３つである。
以下、これら３つの処理について具体的に説明する。
（２−１）テーブル切換処理の流れ
図１２は、テーブル切換処理の流れを示すフローチャートである。
【００４３】
ステップＳ２１：テーブル切換モジュール１１０３は、切換イベント、例えば警報通知を受信したか否かを判断する。検出した場合、ステップＳ２２へ移行する。検出していない場合、ステップＳ２１を繰り返す。即ち、この処理では、警報通知が発生しない限り、テーブルＩＤが“Ｔ０１”の通常用送信系統テーブルがカレントテーブルとなる。
【００４４】
ステップＳ２２：テーブル切換モジュール１１０３は、管理テーブル１３０１に基づいて、非常用送信系統テーブルをカレントテーブルとする。即ち、テーブルＩＤ“Ｔ０２”で特定される送信系統テーブルのテーブル切換フラグをオンにする。
尚、テーブル切換モジュール１１０３は、センサ５などに設けられた非常事態の解除用ボタン（図示せず）が操作されたことを検知し、カレントテーブルを切り換えてもよい。この場合、管理テーブル１３０１に基づいてテーブルＩＤ“Ｔ０１”で特定される送信系統テーブルのテーブル切換フラグがオンとなる。
【００４５】
（２−２）送信系統選択処理の流れ
図１３は、送信系統選択処理の流れを示すフローチャートである。
ステップＳ３１：系統選択モジュール１１０２は、操作通知部４１ａから送信される操作通知を受信したか否かを判断する。受信した場合、ステップＳ３２へ移行する。受信していない場合、ステップＳ３１を繰り返す。
【００４６】
ステップＳ３２：系統選択モジュール１１０２は、操作通知に含まれる操作装置４ａのアドレスとボタンＩＤとに対応する送信系統ＩＤを送信系統選択テーブル１００５に基づいて特定する。そして、カレントテーブルでの前記特定された送信系統ＩＤに対応する系統選択フラグをオンにする。
（２−３）放送処理の流れ
図１４は、放送制御装置１が行う放送処理の流れを示すフローチャートである。この処理では、ある送信装置２ｉに接続された入力機器７ｉで放送イベントが発生すると、送信装置２ｉから所定の受信装置３に音声パケットが送信されるよう、受信装置３のアドレスを送信装置２ｉに通知される（ステップＳ５１〜Ｓ５３）。そして、ある送信装置２ｊに接続された入力機器７ｊで放送イベントがさらに発生した場合、異なる送信装置２から同一の受信装置３に重複した音声パケット送信を回避するのが好ましいため、送信装置２ｉ、ｊのいずれかから優先的に重複する受信装置へ音声パケット送信させるための先取り／後取り送信がさらに行われる（ステップＳ５４〜Ｓ６１）。即ち、既に行われている送信装置２ｉによる音声パケット送信は維持し、重複しない受信装置３のアドレス通知を送信装置２ｊに行う先取り送信、あるいは既に送信装置２ｉに通知された受信装置３のアドレスのうち重複するものへの音声パケット送信の停止を送信装置２ｉに指示する送信停止通知を行った上で新たな放送イベント発生に応じた受信装置３のアドレス通知を送信装置２ｊに行う後取り送信、のいずれかが、各放送イベントに対応する放送優先度に基づいて行われる。ここで、少なくとも系統選択フラグがオンになっている送信系統情報の各々は、それぞれ異なる放送優先度を含むものとする。
【００４７】
ステップＳ５１：通知モジュール１１０４は、任意の送信装置２ｉから放送イベント発生通知を受信したか否かを判断する。受信した場合、ステップＳ５２へ移行する。受信していない場合、ステップＳ５１を繰り返す。
ステップＳ５２：通知モジュール１１０４は、ステップＳ５１で受信した放送イベント発生通知に含まれる送信装置アドレスに対応する入力ＩＤを含む送信系統情報のうち、系統選択フラグがオンのもの（以下、第１送信系統情報という）に含まれる出力ＩＤである第１出力ＩＤを、カレントテーブルに基づいて決定し、メモリ１３０１に記憶する。
【００４８】
ステップＳ５３：通知モジュール１１０４は、第１出力ＩＤに対応する受信装置アドレスである第１受信アドレスを出力系統テーブル１００２より取得し、前記送信装置２ｉに通知する。
ステップＳ５４：通知モジュール１１０４は、任意の送信装置２ｊから放送イベント発生通知をさらに受信したか否かを判断する。受信した場合、ステップＳ５５へ移行する。受信していない場合、ステップＳ５４を繰り返す。
【００４９】
ステップＳ５５：通知モジュール１１０４は、ステップＳ５４で受信した放送イベント発生通知に含まれる送信装置アドレスに対応する入力ＩＤを含む送信系統情報のうち、系統選択フラグがオンのもの（以下、第２送信系統情報という）に含まれる出力ＩＤである第２出力ＩＤを、カレントテーブルに基づいて決定し、メモリ１３０１に記憶する。
【００５０】
ステップＳ５６：通知モジュール１１０４は、第１出力ＩＤと第２出力ＩＤとを比較して、第２出力ＩＤに含まれる出力ＩＤの少なくとも一つが第１出力ＩＤのいずれかと一致するか否かを判断する。一致する場合、ステップＳ５７へ移行する。一致しない場合、ステップＳ６０へ移行する。
ステップＳ５７：通知モジュール１１０４は、第１出力ＩＤを含む送信系統情報の優先度Ｐ１が第２出力ＩＤを含む送信系統情報の優先度Ｐ２よりも小さいか否かを判断する。Ｐ１＜Ｐ２の場合、ステップＳ５８へ移行する。Ｐ１＞Ｐ２の場合、ステップＳ５９へ移行する。
【００５１】
ステップＳ５８：通知モジュール１１０４は、第１出力ＩＤに含まれる出力ＩＤであって第２出力ＩＤに含まれる出力ＩＤのいずれかに一致するものである重複出力ＩＤで特定される受信装置３への音声パケット送信の停止を指示する送信停止通知を前記送信装置２ｉに送信する。
ステップＳ５９：通知モジュール１１０４は、第２出力ＩＤに含まれる出力ＩＤであって第１出力ＩＤに含まれる出力ＩＤのいずれにも一致しないものである非重複出力ＩＤに対応する受信装置アドレスを出力系統テーブル１００２より取得し、前記送信装置２ｊに通知する。
【００５２】
ステップＳ６０：通知モジュール１１０４は、第２出力ＩＤに対応する受信装置アドレスである第２受信アドレスを出力系統テーブル１００２より取得し、前記送信装置２ｊに通知する。
ステップＳ６１：通知モジュール１１０４は、第２出力ＩＤを第１出力ＩＤとしてメモリ１３０１に記憶し、ステップＳ５４へ戻る。
【００５３】
＜その他の実施形態例＞
（Ａ）切換イベントは、警報通知だけに限らない。例えば、時間の変化を切換イベントとし、カレントテーブルを切り換えても良い。具体的には、夜間または休日になったとき屋内に設置されたスピーカだけで放送を行いたい場合を考える。この場合、屋内に設置されたスピーカに接続された受信装置３の出力ＩＤだけを送信系統情報に含んだ送信系統テーブルを時間外用送信系統テーブルとして生成する。このテーブルにテーブルＩＤ“Ｔ０３”を付与して前記第１実施形態例の管理ＤＢ１００に蓄積しておく。そして、前記テーブル切換処理でのステップＳ２１（切換イベントの検出ステップ）において、テーブル切換モジュール１１０３は放送制御装置１と一体に構成されたタイマに基づいて、所定の時刻や曜日、例えば午後６時や日曜日になったことを検知する。その後、ステップＳ２２では、管理テーブル１３０１に基づいてテーブルＩＤ“Ｔ０３”で特定される時間外用送信系統テーブルのテーブル切換フラグをオンにする。さらに、前記テーブル切換処理でのステップＳ２１において、テーブル切換モジュール１１０３が例えば午前８時や月曜日になったことを検知すると、ステップＳ２２に移行する。この場合、ステップＳ２２では管理テーブル１３０１に基づいてテーブルＩＤ“Ｔ０１”で特定される通常用の送信系統テーブルのテーブル切換フラグをオンにする。
【００５４】
（Ｂ）前記第１実施形態例で操作装置４、センサ５、管理テーブル１３０１及びテーブル切換モジュール１１０３を省略した放送制御システムの実現も可能である。即ち、放送制御装置１は１つの送信系統テーブル１００４を有していれば前述の放送処理を行うことが可能である。この場合、前述の放送処理のステップＳ４２におけるカレントテーブルは、前述の１つの送信系統テーブルである。
【００５５】
（Ｃ）前記第１実施形態例の放送処理におけるステップＳ５８では、送信停止通知を送信することにより、同じ受信装置への重複する音声パケット送信を回避していた。しかし、前記ステップＳ５８において、重複しない受信装置アドレスを送信装置２ｉに再通知するようにしても、重複する音声パケット送信の回避が可能である。
【００５６】
（Ｄ）前記第１実施形態例の放送処理では、放送優先度に基づいて先取り／後取り送信を行っていた。しかし、予め先取り／後取り送信を選択できるようにしておき、前記第１実施形態例の放送処理を行っても良い。具体的には、図１５に示すような基準選択画面を設けておき、「先取り送信」または「後取り送信」のいずれかをラジオボタンで選択できるようにする。そして、前記放送処理のステップＳ５７では、前記基準選択画面で「後取り送信」が選択されたか否かを判断する。「後取り送信」が選択された場合、ステップＳ５８へ移行する。「先取り送信」が選択された場合、ステップＳ５９へ移行する。こうすれば、放送優先度を用いなくとも重複する受信装置への音声パケット送信を回避することが可能である。また、「先取り送信」または「後取り送信」のいずれかが選択されれば、放送優先度の入力は必須でなくなるため、例えば「先取り送信」または「後取り送信」のいずれも選択されなければ前記第１実施形態例と同様に放送優先度に基づいた先取り／後取り送信を行うようにし、逆に「先取り送信」または「後取り送信」のいずれかが選択された場合は図９の送信系統選択画面での放送優先度の入力を受け付けないようにした上で上記のような処理を行うようにしても良い。
【００５７】
（Ｅ）前記第１実施形態例の放送処理において、系統選択フラグがオンになっている送信系統情報の各々は、それぞれ異なる放送優先度を含んでいた。しかし、送信系統情報の各々に重複する放送優先度を設定できるようにすることも可能である。例えば、上記（Ｄ）と同様に基準選択画面を設け、先取り／後取り送信を選択できるようにしておく。デフォルトでは、先取り／後取り送信のいずれかが選択されているものとする。そして、第１送信系統情報の放送優先度と第２送信系統情報の放送優先度とが同一か否かを予め判断しておき、同一の場合、上記（Ｄ）と同様に基準選択画面で後取り送信が選択されたか否かをさらに判断する。そして、「後取り送信」が選択された場合、ステップＳ５８と同様に重複した出力ＩＤについて送信停止通知を行い、「先取り送信」が選択された場合、ステップＳ５９と同様に重複しない受信アドレスを通知する。こうすれば、図９の送信系統選択画面で放送優先度が重複して設定された場合に対するエラー処理などを別途設ける必要がなくなる。
【００５８】
（Ｆ）前記第１実施形態例の入力機器７は、動作を開始すると、制御信号を送信装置２に送信し、送信装置２は、制御信号を受信すると、放送イベント発生通知を放送制御装置１に送信していた。しかし、入力機器７の動作開始以外のタイミングで、入力機器７やその他の機器から制御信号を送信装置２に送信するようにしても良い。例えば、リモートマイクなどの入力機器７にスイッチを設け、アナウンス放送などを行う際にスイッチが押されると、その入力機器７と接続された送信装置２に制御信号が送信されるようにする。こうすれば、リモートマイクを用いたアナウンス放送のように入力機器７の動作開始と音声入力とのタイミングとが一致しないものであっても、スイッチを押すことで適切なタイミングで送信装置に音声入力できる。あるいは、操作装置４に入力機器７と対応するスイッチ、例えば「マイクロフォン」、「ＣＤプレーヤ」、「ラジオ」等の入力機器７を選択するためのスイッチ（以下、音源選択スイッチという）を設け、音源選択スイッチが押されると、その入力機器７と接続された送信装置２に制御信号が送信されるようにする。こうすれば、ラジオや有線放送受信機など常に動作しており、動作開始のタイミングで制御信号を送信することが不適切なものであっても、音源選択スイッチを押して音源として使用できる。
【００５９】
（Ｇ）前記第１実施形態例では、操作装置４はある１つの入力装置７を音源とする送信系統を選択可能であり、１の音源と１または複数の放送先との組み合わせ（以下、放送系統という）をユーザが自由に選択することはできなかった。しかし、ユーザの操作で１または複数の放送系統を自由に選択できるようにすることも可能である。例えば、前記第１実施形態例の操作装置４に、上記（Ｆ）と同様の機能を有する音源選択スイッチを複数設ける。この音源選択スイッチの各々は、入力機器７のいずれかと対応している。例えば、第１音源選択スイッチは「マイクロフォン」、第２音源選択スイッチは「ＣＤプレーヤ」、第３音源選択スイッチは「ラジオ」、第４音源選択スイッチは「有線放送受信機」・・などのように対応している。さらに、操作装置４には、複数の操作部４２を設ける。この操作部４２の各々には、それぞれ複数の送信系統が前記第１実施形態例の送信系統選択テーブル１００５により対応づけられている。ここで、１の操作部４２に対応する複数の送信系統は、出力ＩＤが共通し、かつ入力ＩＤが異なるように設定されている。従って、ある１の操作部４２が操作されると、放送先は共通するが、音源が異なる複数の送信系統の系統選択フラグが同時にオンとなる。即ち、ある１の操作部４２を操作すると、１の放送先、例えば「教室」、「体育館」、「校庭」がまず選択される。複数の操作部４２を同時に操作して複数の放送先を同時に選択することも可能である。放送先の選択後、音源選択スイッチのいずれが押されると、その音源選択スイッチに対応する入力装置７と接続された送信装置２に制御信号が送信され、その送信装置２から放送制御装置１へ放送イベント発生通知が送信される。この放送イベント発生通知に基づいて前記第１実施形態例の放送処理を行えば、系統選択フラグがオンとなっており、出力ＩＤの共通する複数の送信系統のうち、放送イベント発生通知を送信した送信装置２の入力ＩＤを含む送信系統で音声パケットの送信が行われる。従って、このように構成された操作装置を用いれば、ユーザの操作で１の放送系統を自由に選択できる。
【００６０】
一方、上記のような複数の音源選択スイッチと複数の操作部４２を備えた操作装置４をネットワーク１０上に複数設けることも可能であり、また、これらの複数の操作装置４を一体に構成すれば、ユーザの操作で複数の放送系統を自由に選択できる。
（Ｈ）前述の処理を行うプログラムを記録したコンピュータ読み取り可能な記録媒体も本発明に含まれる。ここで記録媒体としては、コンピュータ読み取り可能なフレキシブルディスク、半導体メモリ、ＣＤ−ＲＯＭ、ＤＶＤ、ＭＯ、その他のものが挙げられる。
【００６１】
【発明の効果】
本発明を用いれば、ネットワークを利用した多系統構内放送の制御を実現できる。
【図面の簡単な説明】
【図１】  第１実施形態例に係るネットワーク構内放送システムの全体構成図。
【図２】  （ａ）入力系統テーブルに蓄積される情報の概念説明図。
（ｂ）出力系統テーブルに蓄積される情報の概念説明図。
（ｃ）出力グループテーブルに蓄積される情報の概念説明図。
【図３】  送信系統テーブルに蓄積される情報の概念説明図。
【図４】  送信系統選択テーブルに蓄積される情報の概念説明図。
【図５】  管理テーブルに蓄積される情報の概念説明図。
【図６】  メニュー画面の一例。
【図７】  （ａ）入力系統登録画面の一例。
（ｂ）出力系統登録画面の一例。
【図８】  出力グループ登録画面の一例。
【図９】  送信系統登録画面の一例。
【図１０】  送信系統選択登録画面の一例。
【図１１】  システム全体での処理の流れを示す説明図。
【図１２】  テーブル切換処理の流れを示すフローチャート。
【図１３】  送信系統選択処理の流れを示すフローチャート。
【図１４】  放送処理の流れを示すフローチャート。
【図１５】  基準選択画面の一例。
【図１６】  （ａ）従来のマトリックス回路を利用した構内放送システムの構成例。
（ｂ）ネットワーク構内放送システムの構成例。
【符号の説明】
１：放送制御装置
２：送信装置
３：受信装置
４：操作装置
５：センサ
１００：管理ＤＢ
１１０：モジュール群
【図１】
0004010861.tif 000002
【図２】
0004010861.tif 000003
【図３】
0004010861.tif 000004
【図４】
0004010861.tif 000005
【図５】
0004010861.tif 000006
【図６】
0004010861.tif 000007
【図７】
0004010861.tif 000008
【図８】
0004010861.tif 000009
【図９】
0004010861.tif 000010
【図１０】
0004010861.tif 000011
【図１１】
0004010861.tif 000012
【図１２】
0004010861.tif 000013
【図１３】
0004010861.tif 000014
【図１４】
0004010861.tif 000015
【図１５】
0004010861.tif 000016
【図１６】
0004010861.tif 000017